(57)【特許請求の範囲】
【請求項１】
保形性が極めて小さい薄肉の本体部分および該本体部分の内部空間にネック部分を介して連通する口部とからなる容器本体と、前記口部を封じるキャップとを備え、外容器本体に収納される詰め替え容器において、
前記詰め替え容器は、そのネック部分に、このネック部分に取り付けられる基部と、この基部から一体に前記容器本体の軸線に沿って前記口部側に向かって延在し前記キャップが下向きになる倒立状態にて前記キャップの天面と同一高さで前記容器本体を支持する脚部とからなる台座を設け、この台座を前記キャップに切り離し可能に連結してなり、
前記外容器本体の内部空間に収納開口を通して装填されると共に、前記台座の基部を前記外容器本体の内部空間に構成した内側段差によって当該外容器本体の収納開口において安定的に係止され、更に、当該収納開口をカバーで閉塞することで、このカバーと前記内側段差との間に前記台座の脚部が固定保持されるものであることを特徴とする詰め替え容器。
【請求項２】
前記ネック部分はフランジ部を有し、前記台座の前記基部は、前記フランジ部に取り付けられ当該ネック部分から外向きに延在するものである請求項１に記載の詰め替え容器。
【請求項３】
保形性が極めて小さい薄肉の本体部分および該本体部分の内部空間にネック部分を介して連通する口部とからなる容器本体と、前記口部を封じるキャップとを備え、前記ネック部分に、このネック部分に取り付けられる基部と、この基部から一体に前記容器本体の軸線に沿って前記口部側に向かって延在し前記キャップが下向きになる倒立状態にて前記キャップの天面と同一高さで前記容器本体を支持する脚部とからなる台座を設け、この台座を前記キャップに切り離し可能に連結してなる詰め替え容器を装填する収納容器において、
当該収納容器は、前記詰め替え容器が収納開口を通して装填される内部空間および、前記台座の基部をその収納開口において安定的に係止する内側段差を有する外容器本体と、この内側段差による前記詰め替え容器の係止状態にて前記収納開口を閉塞して前記台座の脚部を前記内側段差との間に固定保持するカバーからなることを特徴とする、詰め替え容器を装填する収納容器。
【請求項４】
前記ネック部分はフランジ部を有し、前記台座の前記基部は、前記フランジ部に取り付けられ当該ネック部分から外向きに延在するものである請求項３に記載の詰め替え容器を装填する収納容器。
【発明の詳細な説明】
【０００１】
【発明の属する技術分野】
本発明は保形性が極めて小さい薄肉の本体部分および該本体部分の内部空間にネック部分を介して連通する口部とからなる容器本体を備えた詰め替え容器およびその詰め替え容器を装填する収納容器に関するものである。
【０００２】
【従来の技術】
詰め替え容器は、薄肉の容器本体を有するところから、少ない樹脂量で成形することが可能で、しかも、使用後は小さく折り畳んで廃棄できるため、例えば、台所用洗剤や衣料用洗剤などを充填する容器として利用されている。
【０００３】
【発明が解決しようとする課題】
しかしながら、こうした詰め替え容器は、本体部分の保形性が極めて小さいため、一般の容器のように、本体部分の底面を接地して商品棚に陳列したり台所などに買い置いた場合、詰め替え容器が本体部分で座屈してしまうことがある。このため、商品として陳列した際に外観を損なうと共に、同じ規格で製造した容器と比べると、陳列または買い置きするためのスペースを広く確保しなければならないという不都合があった。
【０００４】
また、従来の詰め替え容器は、予め容器本体内に充填された内容物を既成の容器に移し替える際に、その容器の口部から内容物を流し込むため、容器本体の保形性が極めて小さい分、詰め替え中に詰め替え容器が変形して液ダレしないように注意する必要があり、その作業は煩雑なものになっていた。
【０００５】
本発明は、上述した問題点を解消するためになされたものであって、詰め替え容器としての外観を損なうことなく配置することができ、しかも、その配置スペースが大きくならずに済む詰め替え容器および、保形性が極めて小さい薄肉容器から既成の容器へ内容物を詰め替えるために生じる煩雑な作業を必要としない詰め替え容器を装填する収納容器を提供することを目的とする。
【０００６】
【課題を解決するための手段】
この課題を解決するため、本発明である詰め替え容器は、保形性が極めて小さい薄肉の本体部分および該本体部分の内部空間にネック部分を介して連通する口部とからなる容器本体と、口部を封じるキャップとを備え、外容器本体に収納される詰め替え容器において、詰め替え容器は、そのネック部分に、このネック部分に取り付けられる基部と、この基部から一体に容器本体の軸線に沿って前記口部側に向かって延在しキャップが下向きになる倒立状態にてキャップの天面と同一高さで容器本体を支持する脚部とからなる台座を設け、この台座をキャップに切り離し可能に連結してなり、
外容器本体の内部空間に収納開口を通して装填されると共に、台座の基部を外容器本体の内部空間に構成した内側段差によって当該外容器本体の収納開口において安定的に係止され、更に、当該収納開口をカバーで閉塞することで、このカバーと前記内側段差との間に前記台座の脚部が固定保持されるものであることを特徴とするものである。本発明において、前記ネック部分がフランジ部を有するものであれば、前記台座の前記基部は、前記フランジ部に取り付けられ当該ネック部分から外向きに延在するものとする。
【０００７】
本発明である、詰め替え容器を装填する収納容器は、保形性が極めて小さい薄肉の本体部分および該本体部分の内部空間にネック部分を介して連通する口部とからなる容器本体と、口部を封じるキャップとを備え、ネック部分に、このネック部分に取り付けられる基部と、この基部から一体に容器本体の軸線に沿って前記口部側に向かって延在しキャップが下向きになる倒立状態にてキャップの天面と同一高さで容器本体を支持する脚部とからなる台座を設け、この台座をキャップに切り離し可能に連結してなる詰め替え容器を装填する収納容器において、当該収納容器は、詰め替え容器が収納開口を通して装填される内部空間および、台座の基部をその収納開口において安定的に係止する内側段差を有する外容器本体と、この内側段差による詰め替え容器の係止状態にて収納開口を閉塞して台座の脚部を内側段差との間に固定保持するカバーからなることを特徴とするものである。本発明において、前記ネック部分がフランジ部を有するものであれば、前記台座の前記基部は、前記フランジ部に取り付けられ当該ネック部分から外向きに延在するものとする。
【０００８】
【発明の実施の形態】
以下、本発明の実施の形態を、添付図面に基づき具体的に説明する。
【０００９】
図１は、本発明の一実施形態である詰め替え容器１００を示す一部断面図であり、また図２（ａ），（ｂ）はそれぞれ、図１の台座１６０の周辺を示す要部拡大図および、図１バージンキャップ１５０を取り外した状態のキャップバンドを示す要部斜視図である。さらに図３および図４はそれぞれ、詰め替え容器１００を陳列した状態を示す斜視図および、詰め替え容器１００を収納容器２００に装填した状態を示す一部断面図である。
【００１０】
詰め替え容器１００は、図１に示す如く、ＰＥ（ポリエチレン）やＰＰ（ポリプロピレン）などの合成樹脂をブロー成形した容器本体１１０を有する。この容器本体１１０は、保形性が極めて小さい薄肉の本体部分１２０および該本体部分１２０の内部空間Ｒ1にネック部分１３０を介して連通する口部１４０とからなり、この口部１４０は、バージンキャップ１５０によって封じられる。
【００１１】
バージンキャップ１５０は、詰め替え容器１００が未開封であることを消費者に表示することにより、品質の高い製品を消費者に提供するためのものであって、図２（ａ）に示す如く、口部１４０を封じるスクリュー式のキャップ本体１５１と、後述の台座１６０に取り付けられたキャップバンド１５２とからなる。キャップ本体１５１およびキャップバンド１５２間は、複数の連結用リブ１５３によって切り離し可能に連結されており、キャップバンド１５２は、台座１６０と一体成形されている。
【００１２】
また詰め替え容器１００は、ネック部分１３０にフランジ１３１を有し、フランジ１３１には、台座１６０が設けられている。この台座１６０は、図２（ａ）に示す如く、フランジ１３１に取り付けられる基部１６１と、この基部１６１から一体に容器本体１１０の軸線に沿って延在しバージンキャップ１５０が下向きになる倒立状態にてバージンキャップ１５０の天面と同一若しくは該天面が接地することなく容器本体１１０を支持する脚部１６２とからなる。
【００１３】
基部１６１は、その中心に、口部１４０が貫通する開口１６３を有し、その端縁には、図２（ｂ）に示す如く、キャップバンド１５２と一体成形された台座１６０に複数の段差部分１６４が形成されている。これにより、バージンキャップ１５０は、台座１６０と一体にフランジ１３１に取り付けることができる。また段差部分１６４の内側先端には、凸部１６５が形成されており、これらの凸部１６５がそれぞれ、台座１６０をフランジ１３１に取り付ける際に、フランジ１３１を強制的に乗り越え引っ掛る。これにより、台座１６０およびキャップバンド１５０は、フランジ１３１に固定される。
【００１４】
つまり、詰め替え容器１００は、容器本体１１０に台座１６０を一体的に有することから、この詰め替え容器１００によれば、図３に示す如く、フランジ１３１に取り付けた台座１６０によって、バージンキャップ１５０が下向きになる倒立状態にてバージンキャップ１５０の天面と同一若しくは該天面が接地することなく容器本体１１０を支持することができる。このため、詰め替え容器１００を商品棚に陳列したり台所などに買い置いた場合でも、保形性の極めて小さい薄肉の本体部分１２０が座屈することがない。
【００１５】
従って本実施形態である詰め替え容器１００によれば、詰め替え容器としての外観を損なうことなく商品棚や台所などに配置することができ、しかも、その配置スペースが大きくならずに済む。
【００１６】
詰め替え容器１００は、容器として単独に用いてもよいが、図４に示す如く、そのものを内容器として使用することができる。収納容器２００は、詰め替え容器１００そのものを装填する外容器であり、外容器本体２１０とこの外容器本体２１０の収納開口２１１を封じるカバー２２０とからなる。外容器本体２１０は、収納開口２１１を通して詰め替え容器１００を装填する内部空間Ｒ2を有し、その内側面に複数のリブ２１２を備える。リブ２１２はそれぞれ、その上端２１３が、内部空間Ｒ2に装填した詰め替え容器１００の台座１６０を係止する内側段差を構成し、この内側段差２１３にて、台座１６０の基部１６１をその収納開口２１１において安定的に係止する。
【００１７】
カバー２２０は、詰め替え容器１００を内側段差２１３で係止した状態にて収納開口２１１を閉塞するスクリュー式のキャップである。このカバー２２０は、その中心部分に、プッシュ式ポンプ２３０を取り付ける貫通穴２２１を有し、この貫通穴２２１の内側端縁２２１ｅがカバー２２０の取り付け時に口部１４０に内部嵌合する。また、カバー２２０は、その内側天面に、環状の嵌合用リブ２２２を有し、この嵌合用リブ２２２が外容器本体２１０の開口端縁２１４および台座１６０の脚部１６２とを外壁２２３との間にて挟み込んで保持する。
【００１８】
このため、収納容器２００は、台座１６０の基部１６１が内側段差２１３に接触することによって、詰め替え容器１００を開口２１１において安定的に係止される。これと同時に、収納容器２００は、詰め替え容器１００の係止状態にて、カバー２２０の内側端縁２２１ｅが詰め替え容器１００の口部１４０に内部嵌合すると共に、嵌合用リブ２２２および外壁２２３間に形成される環状隙間に外容器本体２１０の開口端縁２１４および台座１６０の脚部１６２とを挟み込むことによって、詰め替え容器１００を内部空間Ｒ2に固定保持する。
【００１９】
この場合、収納容器２００は、その内側段差２１３およびカバー２２０によって詰め替え容器１００をそのまま装填できるから、保形性が極めて小さい詰め替え容器１００から既成の容器へ内容物を詰め替えるために生じる煩雑な詰め替え作業を解消することができる。従って本実施形態によれば、詰め替え容器１００の作用効果に加えて、詰め替え容器１００から内容物を取り出すことなく効率良く移し替えることができる。
【００２０】
なお、収納容器２００は、他の実施形態として、台座１６０の脚部１６２を外容器本体２１０の開口端縁２１４と共に外壁２２３および嵌合用リブ２２２間に形成された隙間に挟み込んで保持しないで、カバー２２０の内側天面に台座１６０の脚部１６２の先端だけを圧接させてもよい。
【００２１】
加えて本実施形態では、カバー２２０が収納容器２００内に装填された詰め替え容器１００の口部１４０に直接挿入されそこから内容物を排出するプッシュ式ポンプ２３０を備えることから、詰め替え容器１００を装填した収納容器２００を移動させること無く、詰め替え容器１００内の内容物を取り出すことができる。
【００２２】
上述したところは、本発明の好適な実施形態を示したにすぎず、当業者によれば、請求の範囲において、種々の変更を加えることができる。例えば、台座１６０の脚部１６２は、本実施形態のような環状断面のものにかぎらず、容器本体１１０を支持できる形状であれば、三角形や四角形などの多角形断面のものであってもよい。
【００２３】
【発明の効果】
第１発明に係る、薄肉の合成樹脂容器は、容器本体のネック部分に、この容器本体の口部を封じるキャップが下向きになる倒立状態にて容器本体を支持することができる。このため、薄肉の合成樹脂製容器を商品棚に陳列したり台所などに買い置いた場合でも、保形性の極めて小さい薄肉の容器本体が座屈することがない。従って第１発明によれば、詰め替え容器としての外観を損なうことなく商品棚や台所などに配置することができ、しかも、その配置スペースが大きくならずに済む。
【００２４】
第２発明に係る、詰め替え容器を装填する収納容器は、上記第１発明に係る詰め替え容器が収納開口を通して装填される内部空間および、台座の基部をその収納開口において安定的に係止する内側段差を有する外容器本体と、この内側段差による詰め替え容器の係止状態にて収納開口を閉塞して台座の脚部を内側段差との間に固定保持するカバーからなるものであるから、詰め替え容器を収納容器の内側段差およびカバーによってそのまま装填できる。従って第２発明によれば、第１発明の作用効果に加えて、保形性が極めて小さい薄肉容器から既成の容器へ内容物を詰め替えるために生じる煩雑な詰め替え作業が解消され、詰め替え容器から内容物を取り出すことなく効率良く移し替えることができる。
【図面の簡単な説明】
【図１】  本発明の一実施形態である詰め替え容器を示す一部断面図である。
【図２】  （ａ），（ｂ）はそれぞれ、同実施形態において、台座の周辺を示す要部拡大図および、詰め替え容器からバージンキャップを取り外した状態のキャップを示す要部斜視図である。
【図３】  同実施形態において、詰め替え容器を陳列した状態を示す斜視図である。
【図４】  同実施形態において、詰め替え容器を収納容器に装填した状態を示す一部断面図である。
【符号の説明】
１００  詰め替え容器
１１０  容器本体
１２０  本体部分
１３０  ネック部分
１３１  フランジ
１４０  口部
１５０  バージンキャップ
１５１  キャップ本体
１５２  キャップバンド
１５２ｅ  キャップバンド外縁
１５３  連結用リブ
１６０  台座
１６１  基部
１６２  脚部
１６３  開口
１６４  段差部分
１６５  凸部１６５
２００  収納容器
２１０  外容器本体
２１１  収納開口
２１２  リブ
２１３  内側段差
２１４  外容器本体の開口端縁
２２０  カバー
２２１  貫通穴
２２１ｅ  貫通穴の内側端縁
２２２  環状の嵌合用リブ
２２３  外壁
２３０  プッシュ式ポンプ
Ｒ1，Ｒ2  内部空間
【図１】
0004212816.tif 000002
【図２】
0004212816.tif 000003
【図３】
0004212816.tif 000004
【図４】
0004212816.tif 000005